(57)【要約】【課題】  高速回転において、ころ及び保持器の回転を安定させて、低発熱の軸受にすることにより、従来軸受より高速条件での使用を可能すること。【解決手段】  外径側のポケット幅寸法（Ａ）に対して、内径側のポケット幅寸法（Ｂ）を狭くすることにより、ポケット２２のころ持たせ面３０を、ころピッチ円径（Ｐ）より、内径側に設定してある。また、外径側のポケット幅寸法（Ａ）を、ころ１１の径寸法（Ｄｗ）より僅かに小さくすることにより、ころ１１を外径側よりポケット２２内に挿入した後には、柱部２３の窓幅部エッジは、ころ１１の外れを阻止するように作用するように構成してある。さらに、柱部の窓幅部エッジは、外径側にころ１１を挿入するためのころ導入部３１と、外径側のポケット幅寸法（Ａ）を確保するための標準寸法部３２と、ころ導入部３１と標準寸法部３２とをそれぞれ繋ぐ円弧状部３３と、を有している。【選択図】  図２
2006194289.tif 000002
【特許請求の範囲】
【請求項１】
一対の軌道輪間に、複数個のころが転動自在に介装してあり、
当該ころを複数個のポケット内に保持する保持器を備えたころ軸受において、
前記保持器は、
環状に形成した円環部と、
当該円環部の両側面に、環状方向に所定間隔離間しながら突設して、前記ポケットを形成する複数個の柱部と、を少なくとも有し、
外径側のポケット幅寸法に対して、内径側のポケット幅寸法を狭くすることにより、ポケットのころ持たせ面を、ころピッチ円径より、内径側に設定したことを特徴とするころ軸受。
【請求項２】
前記外径側のポケット幅寸法を、ころの径寸法より僅かに小さくすることにより、ころを外径側よりポケット内に挿入した後には、柱部の窓幅部エッジは、ころの外れを阻止するように作用することを特徴とする請求項１に記載のころ軸受。
【請求項３】
柱部の窓幅部エッジは、
外径側にころを挿入するためのころ導入部と、
前記外径側のポケット幅寸法を確保するための標準寸法部と、
当該ころ導入部と標準寸法部とをそれぞれ繋ぐ円弧状部と、を有することを特徴とする請求項２に記載のころ軸受。
【発明の詳細な説明】
【技術分野】
【０００１】
本発明は、ころと保持器の摩擦を軽減して発熱を抑え、高速条件での使用を可能にするころ軸受に関する。
【背景技術】
【０００２】
図３（ａ）は、従来例に係る自動調心ころ軸受の半断面図であり、（ｂ）は、その保持器の側面図であり、（ｃ）は、保持器を内径側から視た図であり、（ｄ）は、保持器の部分的斜視図である。
【０００３】
自動調心ころ軸受は、図３及び特許文献１等に開示されているように、その複数の球面ころ１１が、一対の軌道輪１２，１３（外輪１２と内輪１３）の間に組み込まれている。
【０００４】
すなわち、各球面ころ１１は、軸心に対して互いに逆方向に傾斜した状態で軌道輪１２，１３間に配置され、もみ抜き保持器２０によって保持されている。
【０００５】
もみ抜き保持器２０は、軸心に対して互いに逆方向に傾斜した各球面ころ１１間を通る環状の円環部２１と、該円環部２１の環状方向の両側面に環状方向に沿って所定の間隔をあけて複数突設され、円環部２１の環状方向両側に複数のポケット２２を形成する柱部２３、とを備えている。
【特許文献１】特開２００３−１９４０６７号公報
【特許文献２】特開平７−１２７６３６号公報
【特許文献３】特開平８−３２６７５９号公報
【発明の開示】
【発明が解決しようとする課題】
【０００６】
自動調心ころ軸受用のもみ抜き保持器は、上述したように、一般的に串形で内輪案内する構造である。
【０００７】
しかしながら、串形のもみ抜き保持器は、片側が開放しているため、ころの姿勢を正しく保持することに限界があり、内輪案内と合わさって高速回転の場合に内部発熱が高くなる問題がある。
【０００８】
例えば、ころ持たせ面を、ころピッチ円径より外側にした場合は、ころの遠心力に逆らって保持器の質量がころに加わるため、特に非負荷圏のころの姿勢が不安定になるといったことがある。
【０００９】
本発明は、上述したような事情に鑑みてなされたものであって、高速回転において、ころ及び保持器の回転を安定させて、低発熱の軸受にすることにより、従来軸受より高速条件での使用を可能することができる、ころ軸受を提供することを目的とする。
【課題を解決するための手段】
【００１０】
上記の目的を達成するため、本発明の請求項１に係るころ軸受は、一対の軌道輪間に、複数個のころが転動自在に介装してあり、
当該ころを複数個のポケット内に保持する保持器を備えたころ軸受において、
前記保持器は、
環状に形成した円環部と、
当該円環部の両側面に、環状方向に所定間隔離間しながら突設して、前記ポケットを形成する複数個の柱部と、を少なくとも有し、
外径側のポケット幅寸法に対して、内径側のポケット幅寸法を狭くすることにより、ポケットのころ持たせ面を、ころピッチ円径より、内径側に設定したことを特徴とする。
【００１１】
本発明の請求項２に係るころ軸受は、前記外径側のポケット幅寸法を、ころの径寸法より僅かに小さくすることにより、ころを外径側よりポケット内に挿入した後には、柱部の窓幅部エッジは、ころの外れを阻止するように作用することを特徴とする。
【００１２】
本発明の請求項３に係るころ軸受は、柱部の窓幅部エッジは、
外径側にころを挿入するためのころ導入部と、
前記外径側のポケット幅寸法を確保するための標準寸法部と、
当該ころ導入部と標準寸法部とをそれぞれ繋ぐ円弧状部と、を有することを特徴とする。
【発明の効果】
【００１３】
本発明によれば、高速回転の場合、ころは、遠心力で外輪軌道面に沿って公転する。また、ポケットのころ持たせ面を、ころピッチ円径より内径側にすることによって、保持器の質量は、ころを外輪に押し当てる力になる。従って、ころの遠心力と合わさって、ころは、外輪軌道面に沿って移動するので、ころの自転およぴ公転が安定することができる。
【００１４】
また、外径側のポケット幅寸法を、ころの径寸法より僅かに小さくすることにより、ころを外径側よりポケット内に挿入した後には、柱部の窓幅部エッジは、ころの外れを阻止するように作用する。加えて、柱部の窓幅部エッジは、外径側にころを挿入するためのころ導入部と、外径側のポケット幅寸法を確保するための標準寸法部と、ころ導入部と標準寸法部とをそれぞれ繋ぐ円弧状部と、を有することから、ころの挿入がスムーズになり、外径側のポケット幅寸法を確保するための標準寸法部を変形し難いようにすることができ、これにより、ころ挿入後のころの外れを確実に防止することができる。
【００１５】
以上から、本発明によれば、高速回転において、ころ及び保持器の回転を安定させて、低発熱の軸受にすることにより、従来軸受より高速条件での使用を可能することができる。
【発明を実施するための最良の形態】
【００１６】
以下、本発明の実施の形態に係るころ軸受を図面を参照しつつ説明する。
【００１７】
図１（ａ）は、本発明の実施の形態に係る自動調心ころ軸受の半断面図であり、（ｂ）は、その保持器の半側面図であり、（ｃ）は、ポケットの図である。
【００１８】
図２（ａ）は、保持器を軸方向から視た図であり、（ｂ）は、（ａ）の符号ｂで示す丸で囲んだ部分の拡大図である。
【００１９】
本実施の形態では、自動調心ころ軸受は、その複数の球面ころ１１が、一対の軌道輪１２，１３（外輪１２と内輪１３）の間に組み込まれている。
【００２０】
すなわち、各球面ころ１１は、軸心に対して互いに逆方向に傾斜した状態で軌道輪１２，１３間に配置され、もみ抜き保持器２０によって保持されている。
【００２１】
もみ抜き保持器２０は、軸心に対して互いに逆方向に傾斜した各球面ころ１１間を通る環状の円環部２１と、該円環部２１の環状方向の側面に環状方向に沿って所定の間隔をあけて複数突設され、円環部２１の環状方向側面に複数のポケット２２を形成する柱部２３と、ポケット２２の軸方向外側を形成する円環部２４と、を備えている。
【００２２】
本実施の形態では、図２に示すように、外径側のポケット幅寸法（Ａ）に対して、内径側のポケット幅寸法（Ｂ）を狭くすることにより、ポケット２２のころ持たせ面３０を、ころピッチ円径（Ｐ）より、内径側に設定してある。
【００２３】
また、外径側のポケット幅寸法（Ａ）を、ころ１１の径寸法（Ｄｗ）より僅かに小さくすることにより、ころ１１を外径側よりポケット２２内に挿入した後には、柱部２３の窓幅部エッジは、ころ１１の外れを阻止するように作用するように構成してある。
【００２４】
さらに、柱部２３の窓幅部エッジは、外径側にころ１１を挿入するためのころ導入部３１と、外径側のポケット幅寸法（Ａ）を確保するための標準寸法部３２と、ころ導入部３１と標準寸法部３２とをそれぞれ繋ぐ円弧状部３３と、を有している。ころ導入部３１の幅は、ｄ１であり、標準寸法部３２の幅は、ｄ２である。
【００２５】
このように構成してあることから、本実施の形態によれば、高速回転の場合、ころ１１は、遠心力で外輪１２の軌道面に沿って公転する。
【００２６】
また、ポケット２２のころ持たせ面３０を、ころピッチ円径（Ｐ）より内径側にすることによって、保持器２０の質量は、ころ１１を外輪１２に押し当てる力になる。
【００２７】
従って、ころ１１の遠心力と合わさって、ころ１１は、外輪１２の軌道面に沿って移動するので、ころ１１の自転およぴ公転が安定することができる。
【００２８】
また、外径側のポケット幅寸法（Ａ）を、ころ１１の径寸法（Ｄｗ）より僅かに小さくすることにより、ころ１１を外径側よりポケット２２内に挿入した後には、柱部２３の窓幅部エッジは、ころ１１の外れを阻止するように作用する。
【００２９】
加えて、柱部２３の窓幅部エッジは、外径側にころ１１を挿入するためのころ導入部３１と、外径側のポケット幅寸法（Ａ）を確保するための標準寸法部３２と、ころ導入部３１と標準寸法部３２とをそれぞれ繋ぐ円弧状部３３と、を有することから、ころ１１の挿入がスムーズになり、外径側のポケット幅寸法（Ａ）を確保するための標準寸法部３２を変形し難いようにすることができ、これにより、ころ１１の挿入後のころ１１の外れを確実に防止することができる。
【００３０】
以上から、本実施の形態では、高速回転において、ころ１１及び保持器２０の回転を安定させて、低発熱の軸受にすることにより、従来軸受より高速条件での使用を可能することができる。
【００３１】
なお、本発明は、上述した実施の形態に限定されず、種々変形可能である。例えば、実施の形態は、自動調心ころ軸受を示しているが、他の軸受形式においても可能である。  
【図面の簡単な説明】
【００３２】
【図１】（ａ）は、本発明の実施の形態に係る自動調心ころ軸受の半断面図であり、（ｂ）は、その保持器の半側面図であり、（ｃ）は、ポケットの図である。
【図２】（ａ）は、保持器を軸方向から視た図であり、（ｂ）は、（ａ）の符号ｂで示す丸で囲んだ部分の拡大図である。
【図３】（ａ）は、従来例に係る自動調心ころ軸受の半断面図であり、（ｂ）は、その保持器の側面図であり、（ｃ）は、保持器を内径側から視た図であり、（ｄ）は、保持器の部分的斜視図である。
【符号の説明】
【００３３】
１１  球面ころ
１２，１３  軌道輪
２０  もみ抜き保持器
２１  円環部
２２  ポケット
２３  柱部
２４  円環部
３０  ころ持たせ面
３１  ころ導入部
３２  標準寸法部
３３  円弧状部
【図１】
2006194289.tif 000003
【図２】
2006194289.tif 000004
【図３】
2006194289.tif 000005